(57)【要約】【課題】コストや使用材料を抑制しつつ片手で操作するための指掛け機能を持たせた、ポンプ式注出器を提供する。【解決手段】本発明のポンプ式注出器は、容器Ｃの口部に保持されるベースキャップ１と、容器Ｃの内容液を汲み上げるポンプ３と、押し下げ及び復元の繰り返しによりポンプ３を駆動させるノズルヘッド１４と、ベースキャップ１とノズルヘッド１４の相互間に装着されるストッパー１６Ａとを備え、ストッパー１６Ａは、側壁１６ａと側方開口１６ｂとを有する形態をなすとともに、筒状壁１ｄ、又はステム７に対して着脱自在に保持されるものであり、ベースキャップ１は、取り外したストッパー１６Ａを、側壁１６ａがノズル１４ｂに対向する姿勢で保持する係合部１ｆを備えることを特徴とする。【選択図】図３
2015145251.tif 000002
【特許請求の範囲】
【請求項１】
容器の口部に保持されるベースキャップと、該ベースキャップにより該口部に吊下げ保持され該容器の内容液を汲み上げるポンプと、押し下げ及び復元の繰り返しにより該ポンプを駆動させ該ポンプのステムを通して送給される内容液をノズルの先端開口から吐出させるノズルヘッドと、該ベースキャップとノズルヘッドの相互間に装着されて該ノズルヘッドの押し下げを阻止するストッパーとを備えるポンプ式注出器において、
前記ストッパーは、筒状をなす側壁と該側壁をその軸線に沿って切り欠く側方開口とを有する形態をなすとともに、前記ステムを取り囲んで前記ベースキャップに連結する筒状壁、又は該ステムに対して着脱自在に保持されるものであり、
前記ベースキャップは、取り外した前記ストッパーを、前記側壁が前記ノズルに対向する姿勢で保持する係合部を備えるポンプ式注出器。
【請求項２】
前記ストッパーは、前記ノズルヘッドを押し下げるに当たって前記ベースキャップに当接する当接部を備える請求項１に記載のポンプ式注出器。
【請求項３】
前記係合部は、前記ストッパーに設けられる突起部若しくは溝部に対応する溝部若しくは突起部であるか、又は、該ストッパーに設けられる爪部若しくは孔部に対応する孔部若しくは爪部である請求項１又は２に記載のポンプ式注出器。
【発明の詳細な説明】
【技術分野】
【０００１】
本発明は、容器に充填した内容液を外界に向けて吐出させるポンプ式注出器に関するものである。
【背景技術】
【０００２】
シャンプー、ボディソープ、ハンドソープ、洗顔料等の内容液を充填した容器においては、容器の口部に吊下げ保持され、ノズルヘッドを押し下げ及び復元させることでノズルの先端開口から内容液を吐出させるポンプ式注出器を装備したものが多用されている。
【０００３】
この種のポンプ式注出器を備える容器、特に据え置きタイプの容器では、一方の手でノズルヘッドを押し下げるとともに他方の手で内容液を受け取るような、両手で操作を行う場合が多いものの、使用状況によっては片手で操作する場合もあるため、この場合でも簡単に吐出できるものが望まれている。
【０００４】
このような注出器として、例えば特許文献１には、手動式押下げポンプを容器本体の口筒部に固定する組み付けキャップに、ポンプの押し下げ操作において指掛けの機能を発揮する補助部材を装着できるようにしたポンプ式注出器が示されている。この補助部材には外鍔状となる係止板片が設けられているため、片方の手の親指でノズルヘッドを押し下げるに当たって、人差し指等を係止板片の下面に当て付けることができる。これによって内容液を受け取る掌の位置を安定させることができるので、内容液を掌の上に確実に吐出させることができる。また、親指と人差し指等とでノズルヘッドと係止板片とを挟持するようにして操作できるため、ノズルヘッドに効果的に押圧力を付与することができる。
【先行技術文献】
【特許文献】
【０００５】
【特許文献１】特開２０１０−１５５６２３号公報
【発明の概要】
【発明が解決しようとする課題】
【０００６】
ところで特許文献１のポンプ式注出器では、補助部材を持たない従来の注出器に対して部品点数が増えることになるため、コストや使用材料が増加するという点で課題が残されていた。
【０００７】
本発明は、このような問題点を解決することを課題とするものであり、その目的は、片手で操作するための指掛け機能を設けることに伴って増加した、コストや使用材料を抑制することができる、新たなポンプ式注出器を提供することにある。
【課題を解決するための手段】
【０００８】
本発明は、容器の口部に保持されるベースキャップと、該ベースキャップにより該口部に吊下げ保持され該容器の内容液を汲み上げるポンプと、押し下げ及び復元の繰り返しにより該ポンプを駆動させ該ポンプのステムを通して送給される内容液をノズルの先端開口から吐出させるノズルヘッドと、該ベースキャップとノズルヘッドの相互間に装着されて該ノズルヘッドの押し下げを阻止するストッパーとを備えるポンプ式注出器において、
前記ストッパーは、筒状をなす側壁と該側壁をその軸線に沿って切り欠く側方開口とを有する形態をなすとともに、前記ステムを取り囲んで前記ベースキャップに連結する筒状壁、又は該ステムに対して着脱自在に保持されるものであり、
前記ベースキャップは、取り外した前記ストッパーを、前記側壁が前記ノズルに対向する姿勢で保持する係合部を備えるポンプ式注出器である。
【０００９】
前記ストッパーは、前記ノズルヘッドを押し下げるに当たって前記ベースキャップに当接する当接部を備えることが好ましい。
【００１０】
前記係合部は、前記ストッパーに設けられる突起部若しくは溝部に対応する溝部若しくは突起部であるか、又は、該ストッパーに設けられる爪部若しくは孔部に対応する孔部若しくは爪部であることが好ましい。
【発明の効果】
【００１１】
本発明のポンプ式注出器において、ベースキャップとノズルヘッドの相互間に装着されるストッパーは、筒状をなす側壁とこの側壁を軸線に沿って切り欠く側方開口とを有する形態をなすとともに、ステムを取り囲んでベースキャップに連結する筒状壁、又はステムに対して着脱自在に保持されるものであり、また、ベースキャップは、取り外したストッパーを、側壁がノズルに対向する姿勢で保持する係合部を備えるものである。すなわち、本発明では、ノズルヘッドの不用意な押し下げを防止するために用いられるストッパーを利用して指掛け機能を設けているので、指掛け機能を持たせるために補助部材を追加したこれまでの注出器に対してパーツ数を削減することができるため、コストや使用材料を抑制することが可能になる。
【００１２】
片手で操作する際には、例えば親指をノズルヘッドの上面に、また人差し指等をベースキャップに保持したストッパーの側壁下面に当て付けて、両方の指でノズルヘッドと側壁とを挟持するようにしてノズルヘッドを押し下げる。この際、側壁には人差し指等によってこれを持ち上げる力が加わることになるが、ストッパーに、ノズルヘッドを押し下げるに当たってベースキャップに当接する当接部を設ける場合は、当接部によって側壁の持ち上がりが有効に防止され、これによってノズルヘッドに効果的に力を付与することが可能になる。
【００１３】
上述した係合部を、ストッパーに設けられる突起部若しくは溝部に対応する溝部若しくは突起部とするか、又は、ストッパーに設けられる爪部若しくは孔部に対応する孔部若しくは爪部とする場合は、ベースキャップに対してストッパーを簡単に取り付けることができるため、使い勝手が良くなる。また、係合部を簡単な構成で実現することができる。
【図面の簡単な説明】
【００１４】
【図１】本発明に従うポンプ式注出器の一実施形態を、容器の口部に装着した状態で示す断面図である。
【図２】図１に示すポンプ式注出器を容器から取り外して示す、（ａ）は平面図であり、（ｂ）は下面図である。
【図３】図１のポンプ式注出器に対し、ベースキャップの係合部にストッパーを取り付けた状態を示す断面図である。
【図４】図３に示すポンプ式注出器を容器から取り外して示す、（ａ）は平面図であり、（ｂ）は下面図である。
【図５】本発明に従うポンプ式注出器の他の実施形態を、容器の口部に装着した状態で示す断面図である。
【図６】図５に示すポンプ式注出器を容器から取り外して示す平面図である。
【図７】図５のポンプ式注出器に対し、ベースキャップの係合部にストッパーを取り付けた状態を示す断面図である。
【図８】図７に示すポンプ式注出器を容器から取り外して示す平面図である。
【発明を実施するための形態】
【００１５】
以下、図面を参照して、本発明であるポンプ式注出器の一実施形態を詳細に説明する。なお、本願明細書、特許請求の範囲、及び要約書において「上」方向、「下」方向とは、ポンプ式注出器を容器に装着して実際に使用する状態での向きを示す。また、「前」方向とは、ノズルが指向する向き（ノズルの根元に対して先端開口が位置する向き）であり（図１の左側）、「後」方向とは、その反対方向（図１の右側）である。また、「左」、「右」方向とはノズルの先端開口に向かって（前から後に向かって）ポンプ式注出器を見る際の左右方向を示す。
【００１６】
図１、図２において、符号１Ａは、容器Ｃの口部に保持されるベースキャップである。ベースキャップ１Ａは、中央部から周縁部に向けて僅かに下向きに傾斜する円板状の天面壁１ａと、天面壁１ａの縁部より垂下される円筒状の外壁１ｂを有していて、外壁１ｂの内側に設けたネジ部を容器Ｃの口部に設けたネジ部にねじ込むことで着脱自在に保持される。なお、ベースキャップ１Ａを容器Ｃに保持するには、アンダーカット等、従来知られた他の係合手段を用いてもよい。天面壁１ａは、その中央を貫く貫通孔１ｃを備えるとともに、貫通孔１ｃを取り囲んで起立する筒状壁１ｄを備えている。筒状壁１ｄの上方には、径方向外側に向けて突出する凸部１ｅが設けられている。また、外壁１ｂの前方には、左右方向に直線状に延在するとともに外壁１ｂの左右を貫く溝部（係合部）１ｆが設けられている。溝部１ｆは、前方で開口する前方溝１ｇと、後方に位置する後方溝１ｈとで構成され、後方溝１ｈの溝幅（上下方向の幅）が、前方溝１ｇの溝幅よりも大きくなっている。
【００１７】
符号３は、ベースキャップ１Ａによって容器Ｃの口部に吊下げ保持され、容器Ｃに充填した内容液を汲み上げるポンプである。本実施形態のポンプ３は、小径筒体４ａと大径筒体４ｂとを直列状に配置した形態をなすシリンダー４に、内容液用ピストン５、ポペット６、ステム７、スプリング８、ボール弁９、ジェットリング１０、空気用ピストン１１、逆止弁１２を組み込んだものであり、ステム７の押し下げ及び復帰によって、内容液と空気とをそれぞれ個別に吸引、加圧した後、これらを合流させて圧送するものである。シリンダー４の上方には径方向外側に延在するフランジ４ｃが設けられていて、容器Ｃに垂下保持されるに当たっては、このフランジ４ｃの下面側にパッキンＰを設け、容器Ｃの口部との間でパッキンＰを挟み込むようにしている。
【００１８】
また、ジェットリング１０の内側には、ポンプ３から圧送された内容液及び空気を発泡させるメッシュリング１３が配されている。本実施形態のメッシュリング１３は、リング状となる本体部の一端部にメッシュが取り付けられたものであり、総計２個のメッシュリング１３を、それぞれのメッシュが外側を向くように（メッシュを設けていない側が合わせ目となるように）して取り付けている。
【００１９】
また、ジェットリング１０の上部には、ノズルヘッド１４が設けられている。ノズルヘッド１４には、ジェットリング１０に嵌合保持される内側筒状部１４ａが設けられている。またノズルヘッド１４には、内側筒状部１４ａにつながるとともに横向きに延在するノズル１４ｂが設けられていて、ノズル１４ｂの先端には、内容液の吐出口となる先端開口１４ｃが形成されている。また、内側筒状部１４ａの径方向外側には、外側筒状部１４ｄが設けられていて、外側筒状部１４ｄの下端には、リング部材１５が嵌合保持されている。またリング部材１５には、ベースキャップ１Ａの凸部１ｅに向けて突出してノズルヘッド１４の下方から水等が浸入することを防止する凸部１５ａが設けられている。
【００２０】
符号１６Ａは、ノズルヘッド１４の不用意な押し下げを防止するストッパーである。図１、図２（ａ）に示すように、本実施形態のストッパー１６Ａは、円筒状となる側壁１６ａと、側壁１６ａの一部を側壁１６ａの軸線に沿って切り欠く側方開口１６ｂとによって構成される保持部１６ｃを備えている。また、側壁１６ａの後方には、側壁１６ａから突出する突起部（被係合部）１６ｄが設けられている。突起部１６ｄは、径方向外側に延在する板状の連結壁１６ｅと、連結壁１６ｅの後方から左右方向に延在する張出し壁１６ｆとによって構成されている。また、突起部１６ｄには、連結壁１６ｅから湾曲しながら延在する湾曲部（当接部）１６ｇが設けられている。このストッパー１６Ａを、ノズルヘッド１４の押し下げを防止するために用いる場合は、側方開口１６ｂをベースキャップ１Ａの筒状壁１ｄに向け、天面壁１ａとリング部材１５との相互間に保持部を差し込み、そのまま押し込むことで筒状壁１ｄに装着することができる。なお、ストッパー１６Ａを取り外すには、突起部１６ｄと湾曲部１６ｇに手を掛けて筒状壁１ｄから引き抜けばよい。
【００２１】
このようなポンプ式注出器から容器Ｃに充填した内容液を吐出するに当たっては、ストッパー１６Ａの突起部１６ｄをベースキャップ１Ａの溝部１ｆの右側（又は左側）からスライドさせる。これによりストッパー１６Ａは、図３、図４に示すように、側壁１６ａがノズル１４ｂに対向する姿勢でベースキャップ１Ａに保持される。そして、掌を上に向けて人差し指を側壁１６ａの内側に差し込み（側方開口１６ｂを通して下方から指を入れ、Ｃ字状をなす側壁１６ａの上部の下面にこの指を押し当てるようにしてもよく、また、Ｃ字状をなす側壁１６ａの下部の下面に指を押し当ててもよい）、また親指をノズルヘッド１４の上面に当て付ける。これによって内容液を受け取る掌の位置を安定させることができるので、内容液を確実に受け取ることができる。そして、両方の指でノズルヘッド１４と側壁１６ａとを挟持するようにしてノズルヘッド１４を押し下げる。この状態において本実施形態では、湾曲部１６ｇが、ベースキャップ１Ａの天面壁１ａに当接するようにしているので、側壁１６ａの持ち上がりが有効に防止される。これによってノズルヘッド１４には力が効果的に付与されることになる。
【００２２】
なお、指掛け機能を必要としない場合（例えば両手で操作する場合）は、ストッパー１６Ａをベースキャップ１Ａに取り付けることなく使用してもよい。また、ストッパー１６Ａをベースキャップ１Ａに取り付けた状態であっても、図３に仮想線で示すように、容器Ｃに対してノズルヘッド１４を回転させてノズル１４ｂを後ろ向きに指向させれば、指掛け機能が無いかの如く使用することができる。
【００２３】
次に、本発明に従う他の実施形態のポンプ式注出器について、図５〜図８を参照しつつ説明する。なお、上述した実施形態と同一の機能を有する部位は、同一の符号を付して説明を省略する。
【００２４】
図５、図６において、ベースキャップ１Ｂは、溝部（係合部）１ｆに代えて、外壁１ｂの前方から外側に突出する突出部１ｊを設けるとともに、この突出部１ｊを上下方向に貫く孔部（係合部）１ｋを設けたものである。
【００２５】
また、図６に示すようにストッパー１６Ｂは、突起部（被係合部）１６ｄ、及び湾曲部（当接部）１６ｇに代えて、側壁１６ａから突出する爪部（被係合部）１６ｈ、及び側壁１６ａに凹部１６ｊを設けたものである。
【００２６】
このようなストッパー１６Ｂをベースキャップ１Ｂに取り付けるに当たっては、図７、図８に示すように、孔部１ｋに対して爪部１６ｈを下方から挿入することで、側壁１６ａがノズル１４ｂに対向する姿勢で保持される。そしてこの場合も、掌を上に向けて人差し指を側壁１６ａの内側に差し込み（側方開口１６ｂを通して下方から指を入れ、側壁１６ａの下面にこの指を押し当ててもよい）、また親指をノズルヘッド１４の上面に当て付ける。そして、両方の指でノズルヘッド１４と側壁１６ａとを挟持するようにしてノズルヘッド１４を押し下げれば、掌の上に内容液を吐出させることができる。この状態において本実施形態では、図７に示すように爪部１６ｈの外側の面がベースキャップ１Ｂの外壁１ｂに当接するようにしているので（爪部１６ｈの外側の面が当接部として機能する）、側壁１６ａの持ち上がりを有効に防止することができる。
【００２７】
本発明に従うポンプ式注出器は、上述した実施形態に限定されるものではなく、特許請求の範囲に従う範囲で種々の変更が可能である。例えば、ポンプは上述した態様のものに限られず、従来知られた他の態様のポンプを用いることもできる。また、所望する内容液の性状に応じて、上述したメッシュリングの個数や配置、またこれを設けるか否かについても選択することができる。また、ベースキャップの筒状壁を省略するとともに、ストッパーをステムに装着するように構成することも可能である。また、ストッパーの側壁は、円筒状となるものに限られず、筒状壁やステムの横断面形状に対応した形状のものを採用することができる。更に、側壁に対して側方開口を設ける位置や、側方開口の開口幅等も、適宜変更することができる。そして、ベースキャップに設けた溝部とストッパーに設けた突起部とを相互に入れ換えて設けてもよく、また、ベースキャップに設けた孔部とストッパーに設けた爪部とを相互に入れ換えて設けてもよい。
【産業上の利用可能性】
【００２８】
本発明のポンプ式注出器によれば、片手で操作するための指掛け機能を持たせたこれまでの注出器に対して、コストや使用材料を抑制することが可能になる、新規のポンプ式注出器を提供することができる。
【符号の説明】
【００２９】
１Ａ、１Ｂ  ベースキャップ
１ａ  天面壁
１ｂ  外壁
１ｃ  貫通孔
１ｄ  筒状壁
１ｅ  凸部
１ｆ  溝部（係合部）
１ｇ  前方溝
１ｈ  後方溝
１ｊ  突出部
１ｋ  孔部（係合部）
３  ポンプ
４  シリンダー
４ａ  小径筒体
４ｂ  大径筒体
４ｃ  フランジ
５  内容液用ピストン
６  ポペット
７  ステム
８  スプリング
９  ボール弁
１０  ジェットリング
１１  空気用ピストン
１２  逆止弁
１３  メッシュリング
１４  ノズルヘッド
１４ａ  内側筒状部
１４ｂ  ノズル
１４ｃ  先端開口
１４ｄ  外側筒状部
１５  リング部材
１５ａ  凸部
１６Ａ、１６Ｂ  ストッパー
１６ａ  側壁
１６ｂ  側方開口
１６ｃ  保持部
１６ｄ  突起部（被係合部）
１６ｅ  連結壁
１６ｆ  張出し壁
１６ｇ  湾曲部（当接部）
１６ｈ  爪部（被係合部）
１６ｊ  凹部
Ｃ  容器
Ｐ  パッキン
【図１】
2015145251.tif 000003
【図２】
2015145251.tif 000004
【図３】
2015145251.tif 000005
【図４】
2015145251.tif 000006
【図５】
2015145251.tif 000007
【図６】
2015145251.tif 000008
【図７】
2015145251.tif 000009
【図８】
2015145251.tif 000010